(57)【要約】【課題】  手間を掛けることなく首回り部を清潔に保つと共に顧客に不快な思いをさせることのない理美容用のケープを安価に提供する。【解決手段】  ２枚以上の紙状片２１が重ねられてなる襟当て部２０を、人の首周りに装着される襟状の首周り部１２を備えたケープ１の前記首周り部１２に取り付ける取付構造であって、襟当て部２０が山折りされて形成される二つの面のうち一方の面を首周り部１２に沿って取り付ける装着部材が備えられ、装着部材の顧客の首周りに向けられる面が、襟当て部２０が山折りされて形成される二つの面のうち他方の面により覆われる取付構造である。前記装着部材は、例えば、プレート部材３０とスナップボタン３１を有する。襟当て部２０に設けられた開口部２２内にて、プレート部材３０に備えられた部品３１ａと首周り部１２に備えられた部品３１ｂが結合して襟当て部２０が首周り部１２に取り付けられる。【選択図】図２
2013192894.tif 000002
【特許請求の範囲】
【請求項１】
２枚以上の紙状片が重ねられてなる襟当て部を、人の首周りに装着される襟状の首周り部を備えたケープの前記首周り部に取り付ける取付構造であって、
前記襟当て部が山折りされて形成される二つの面のうち一方の面を首周り部に沿って取り付ける装着部材が備えられ、
前記装着部材の顧客の首周りに向けられる面が、前記襟当て部が山折りされて形成される二つの面のうち他方の面により覆われる取付構造。
【請求項２】
前記装着部材が着脱自在に取り付け可能である請求項１に記載の取付構造。
【請求項３】
前記装着部材は、プレート部材と、対をなす部品からなる取付部材を有し、前記襟当て部に設けられた開口内において、前記プレート部材に備えられた前記部品と前記首周り部に備えられた前記部品が結合して前記襟当て部が前記首周り部に取り付けられる請求項1又は２に記載の取付構造。
【請求項４】
前記取付部材は、スナップボタン又は面ファスナーである請求項３の記載の取付構造。
【請求項５】
前記装着部材は、前記襟当て部を挟持する対をなすプレート部材と、一方のプレート部材を前記首周り部に取り付ける取付部材を有する請求項１又は２に記載の取付構造。
【請求項６】
前記装着部材は、１組の前記プレート部材と、対をなす部品からなる１又は２組以上の固定具を有し、前記襟当て部に設けられた開口内において、一方のプレート部材に備えられた前記部品と他方のプレート部材に備えられた前記部品が結合して前記襟当て部を挟持する請求項５に記載の取付構造。
【請求項７】
前記固定具は、スナップボタン又は面ファスナーである請求項６に記載の取付構造。
【請求項８】
前記装着部材は、１対の前記プレート部材を有し、当該プレート部材の間に生じる復元力が前記襟当て部を挟持する請求項５に記載の取付構造。
【請求項９】
前記取付部材は、スナップボタン、面ファスナー又はフック部材の何れかである請求項５〜８の何れか１項に記載の取付構造。
【請求項１０】
２枚以上の紙状片が重ねられてなる襟当て部が顧客の首周りに装着される襟状の首周り部に取り付けられたケープであって、
前記襟当て部が請求項１〜９の何れか１項に記載の取付構造により前記首周り部に取り付けられたケープ。
【発明の詳細な説明】
【技術分野】
【０００１】
本発明は、理美容用のケープに関する。
【背景技術】
【０００２】
理髪店や美容院などでは、顧客の胸元が汚れることや、首周りから髪の毛が入ることを防ぐために、いわゆるカットクロスやシャンプークロスなどと称される理美容用のケープ（クロス）が用いられる。ケープは、胸元又は背中で開放可能になった合わせ部と、人の首まわりに装着される襟状の首周り部を有する。
【０００３】
しかしながら、首周り部は直接顧客の肌に触れるので、この部分に汗が付着して汚れやすく、非常に不衛生なものであった。このために、顧客に不快な思いをさせることがあった。このような不快な思いをさせないために、ケープを使い捨てにして顧客ごとに交換するのでは無駄が多い。
【０００４】
このような問題を解決すべく、特許文献１には、山折りされた紙状片が複数枚重ね合わせられて構成されたネック用品が開示されている。このネック用品は、首周り部に被せられるようにして取り付けられ、一人の顧客に使用された後には、顧客に触れた最上層にある１枚の紙状片が取り除かれる。
【０００５】
また、特許文献２には、山折りされた一枚のペーパータオルからなり、折り曲げ部の上縁に沿って粘着テープを備えたネック用品が開示されている。このネック用品は、ケープの首周り部にその折り曲げ部が被せられて、粘着テープで顧客の首周りに装着される。
【先行技術文献】
【特許文献】
【０００６】
【特許文献１】特開２００３−０７９４２８号公報
【特許文献２】特開２００１−０２９１３３号公報
【発明の概要】
【発明が解決しようとする課題】
【０００７】
しかしながら、特許文献１のネック用品は、重ね合わせられた紙状片が合わせ部に取り付けられるので、合わせ部に飛散した水が重ね合わせられた紙状片と紙状片の隙間から侵入して未使用の紙状片）が濡れてしまうという問題があった。
【０００８】
また、ネック用品は合わせ部にて取り付けられるので、各紙状片は、首周り部を覆い隠すのに必要な最小限の面積よりも大きな面積が必要となり、製作コストが高くなるという問題もあった。
【０００９】
一方、特許文献２のネック用品は、一人の顧客への使用に際してその都度ネック用品を装着するので手間がかかるという問題や首回りに付けられた粘着テープが不快感を与えるという問題を有していた。
【００１０】
本発明はこのような問題点を解決するものであって、本発明は手間を掛けることなく首周り部を清潔に保つと共に顧客に不快な思いをさせることのない理美容用のケープを安価に提供することを目的とする。
【課題を解決するための手段】
【００１１】
本発明の取付構造は、２枚以上の紙状片が重ねられてなる襟当て部を、人の首周りに装着される襟状の首周り部を備えたケープの当該首周り部に取り付ける取付構造であって、前記襟当て部が山折りされて形成される二つの面のうち一方の面を首周り部に沿って取り付ける装着部材を備え、前記装着部材の顧客の首周りに向けられる面が、前記襟当て部が山折りされて形成される二つの面のうち他方の面により覆われる取付構造である。
【図面の簡単な説明】
【００１２】
【図１】図１は本発明の一実施例であるケープの概略的斜視図である。
【図２】図２は同上のケープの概略的分解斜視図である。
【図３】図３は襟当て部の斜視図である。
【図４】図４は襟当て部の取付方法を示す説明図である。
【図５】図５は襟当て部が取り付けられる状態を示す図である。
【図６】図６は襟当て部が取り付けられたケープの一部を破断した拡大斜視図である。
【図７】図７は本発明の他の実施例である襟当て部の取付構造を示す図である。
【図８】図８は本発明のさらに他の実施例である襟当て部の取付構造を示す図である。
【図９】図９は図８に示す取付構造の分解説明図である。
【図１０】図１０は図８に示す取付構造に用いられるプレート部材の説明図である。
【図１１】図１１は本発明のさらに他の実施例である襟当て部の取付構造を示す図である。
【図１２】図１２は図１１に示す取付構造の分解説明図である。
【図１３】図１３（ａ）（ｂ）はそれぞれ紙状片の一例を示す平面図である。
【発明を実施するための形態】
【００１３】
本発明の取付構造は、２枚以上の紙状片が重ねられてなる襟当て部を、人の首周りに装着される襟状の首周り部を備えたケープの当該首周り部に取り付ける取付構造であって、前記襟当て部が山折りされて形成される二つの面のうち一方の面を首周り部に沿って取り付ける装着部材を備え、前記装着部材の顧客の首周りに向けられる面が、前記襟当て部が山折りされて形成される二つの面のうち他方の面により覆われる取付構造である。
【００１４】
ケープは、理美容の業界において当業者が用いる通常の意味で用いられる。ケープは髪のカット時や洗髪時、パーマ時、毛染めの際に用いられ、いわゆる身頃に相当するケープ本体に、顧客の首周りに装着される襟状の首周り部を有する。ケープは、首周り部の一部分を重ね合わせると共に、ケープ本体の一部分を重ね合わせることにより、顧客に装着される。
【００１５】
襟当て部は２枚以上の紙状片が重ねられて作製される。紙状片は紙のような薄いシートから形成される。紙状片は、例えば紙やプラスチックシートであり得る。好ましくは、耐水加工若しくは防水加工された紙である。紙状片は、１枚１枚剥がすことができるように、例えばプレス加工により重ね合わされる。粘着力の弱い粘着剤で互いに接着して重ね合わせてもよい。紙状片の枚数はその長軸方向と平行に山折りできる限り当業者により適宜設定されるが、概ね１０枚〜２０枚程度である。
【００１６】
紙状片は細長い形状を有する。紙状片は首周り部の長さよりも短い。襟当て部が装着された際にできる首周り部が飛び出た部分（襟当て部が位置しない部分）を重ね合わせて顧客に装着するためである。つまり、紙状片は、顧客に装着した際に、襟周り部の重なり部分ができるだけ少なくなる長さである。
【００１７】
襟当て部は、山折りされた際に形成される二つの面のうち一方の面が装着部材で首周り部に取り付けられ、他方の面が装着部材の顧客の首周りに向けられる面を覆う機能を果たす。このために、装着部材が直接顧客の肌に触れるのが防止される。従って、プレート部材を有する装着部材を用いた場合には、紙状片は一般的にはプレート部材のほぼ２倍の幅を有する。もっとも、紙状片は前記機能を果たす幅を有すればよく、２倍以上の幅があっても、２倍以下の幅であってもよい。また、山折りされる位置も紙状片の中心でなくてもよく、プレート部材の顧客の首周りに向けられる面が他方の面よりも長くてもよい。また、後述するように、必ずしも全長にわたって均一である必要はない。
【００１８】
一人の顧客に使用した後に、襟当て部から１枚の紙状片を剥がしやすくするため、襟当て部の首周りに向けられる面の隅を略三角形状に切り落とす、また、切り落とす形状を上層から下層に向けて漸次大きくするなど、好ましくは１枚の紙状片を剥がしやすくするための加工が施される。
【００１９】
装着部材は、襟当て部が山折りされた際に形成される二つの面の一方の面をケープの首周り部に取り付ける部材である。装着部材の一例は、例えば、プレート部材と対をなす取付部材とから構成された装着部材であり得る。
【００２０】
プレート部材は薄い板状の部材であって、好ましくは柔軟性かつやや剛性を有する材質、例えば合成樹脂から作製される。紙のように柔らかい材質や木のような硬い材質の部材では、首周り部に取り付けられた襟当て部に十分な張りを付与できないので、顧客に装着した際に顧客の首周りと襟当て部に隙間が空いてしまうおそれがある。
【００２１】
装着部材は好ましくは１枚のプレート部材を含む。１枚のプレート部材であれば、首周り部に取り付けられた襟当て部に十分な張りを与えやすいからである。複数のプレート部材を含み得るが、この場合には、装着に手間がかかり、十分な張りが与えられない場合がある。１枚のプレート部材の場合、プレート部材は襟当て部とほぼ同じ長さ又はそれよりもわずかに短い。また襟当て部とほぼ同じ幅である。なお、プレート部材を用いずに、下記に述べるような取付部材によって襟当て部を取り付けることもできる。この場合には、襟当て部に十分な張りを与えられず、装着した際に顧客の首周りに隙間ができるおそれが強い。
【００２２】
プレート部材は対をなす取付部材によって襟当て部に固定される。取付部材は、プレート部材と首周り部の間に襟当て部を保持できればよく、その構造は特に限定されない。取付部材はプレート部材を襟当て部に着脱自在に固定できるものが好ましい。襟当て部を形成する紙状片を使い終わった場合には新しい襟当て部を取り付けたり、使用途中で新しい襟当て部に交換できるからである。
【００２３】
取付部材は、例えば、糊のような接着剤であり、糸や紐であり、スナップボタンであり、面ファスナーであり、ボルトとナットであり、軸状の凸部が凹所に陥入する構造を有するファスナーであり得る。特に、スナップボタンや面ファスナーが好ましい。着脱自在にプレート部材が固定されるだけでなく、着脱操作が容易だからである。接着剤の場合、プレート部材及び／又は首周り部の全面又は部分的に塗布された接着剤が、襟当て部をプレート部材と首周り部に挟持する。糸又は紐の場合、襟当て部を挟んだプレート部材と首周り部が縫い合わせられる。スナップボタンや面ファスナーのように対をなす部品の場合、首周り部に取り付けられた部品とプレート部材に取り付けられた部品が結合される。固定箇所の数は当業者によって適宜定められる。例えば２箇所であり、３箇所であり、４箇所であり、５箇所であり、６箇所であり得る。また固定箇所も当業者によって適宜定められる。なお、顧客の前にてケープ本体を合わせて装着するケープ（例えば、カット用クロス、染色用クロスなど）では、好ましくは顧客の首の真後ろに位置する箇所は避けられる。この場所に取付部材があると、襟当て部と顧客の首の間に隙間ができやすくなるからであり、取付部材が間接的に顧客の首に当たるので装着感が悪くなるからである。
【００２４】
取付部材が対をなす部品、例えば、スナップボタンや面ファスナーなどの場合には、山折りされた際にできる二つの面のうち一方の面に１以上の開口部を有する襟当て部が用いられる。開口部において、対をなす部品が結合して、プレート部材が首周り部に取り付けられる。開口部の大きさは対をなす部品の大きさよりもわずかに大きい。開口部を設けずに襟当て部を突き破るようにして対となる部品を結合したり、開口部の大きさと対をなす部品の大きさをほぼ同じくした場合には、１枚の紙状片のみを取り除くことが難しくなる。一方、開口部の大きさが対をなす部品の大きさよりも大きすぎると、安定に襟当て部を取り付けられなくなる。
【００２５】
また、装着部材の他例は、襟当て部を挟持する対をなすプレート部材と、一方のプレート部材を首周り部に固定する取付部材を有する装着部材であり得る。
【００２６】
装着部材は、例えば、対をなす１組のプレート部材と、対をなす部品からなる１組以上の固定具を有する装着部材であり得る。プレート部材は薄い板状の部材であって、好ましくは柔軟性かつやや剛性を有する材質、例えば合成樹脂から作製される。プレート部材は襟当て部とほぼ同じであるかわずかに短い。また襟当て部とほぼ同じ幅を有する。
【００２７】
固定具は、プレート部材と首周り部の間に襟当て部を挟持できればよく、その構造は特に限定されないが、襟当て部を着脱自在、言い換えると交換可能に固定できる固定具が好ましい。もっとも、着脱自在である固定具でなくても差し支えない。紙状片を使い終わった後に、装着部材が取り付けられた新しい襟当て部に交換すればよいからである。
【００２８】
固定具は、例えば、糊のような接着剤であり、糸又は紐であり、スナップボタンであり、面ファスナーであり、ボルトとナットであり、軸状の凸部が凹所に陥入する構造を有するファスナーであり得る。接着剤の場合、プレート部材及び／又は首周り部の全面又は部分的に塗布された接着剤が、襟当て部をプレート部材と首周り部に挟持する。糸又は紐の場合、襟当て部を挟んだプレート部材と首周り部が縫い合わせられる。スナップボタンや面ファスナーのように対をなす部品の場合、首周り部に取り付けられた部品とプレート部材に取り付けられた部品が結合される。固定箇所の数は当業者によって適宜定められる。例えば２箇所であり、３箇所であり、４箇所であり、５箇所であり、６箇所であり得る。また固定箇所も当業者によって適宜定められる。なお、顧客の前にてケープ本体を合わせて装着するケープ（例えば、カット用クロス、染色用クロスなど）では、好ましくは顧客の首の真後ろに位置する箇所は避けられる。この場所に取付部材があると、襟当て部と顧客の首の間に隙間ができやすくなるからであり、取付部材が間接的に顧客の首に当たるので装着感が悪くなるからである。
【００２９】
対をなす部品からなる固定具、例えば、スナップボタンや面ファスナーなどの場合には、山折りされた際にできる二つの面のうち一方の面に１以上の開口部を有する襟当て部が用いられる。開口部において、対をなす部品が結合して、襟当て部がプレート部材に挟持される。開口部の大きさは対をなす部品の大きさよりもわずかに大きい。開口部を設けずに襟当て部を突き破るようにして対となる部品を結合したり、開口部の大きさと対をなす部品の大きさをほぼ同じくした場合には、１枚の紙状片のみを取り除くことが難しくなる。一方、開口部の大きさが双方の部品の大きさよりも大きすぎると、安定に襟当て部を取り付けられなくなる。
【００３０】
一方のプレート部材の表面（外側を向く面）には、首周り部に取り付けるための取付部材が備えられる。取付部材は、プレート部材を首周り部に取り付けることができれば、その構造は特に限定されない。プレート部材を襟当て部に着脱自在に固定できる取付部材が好ましい。取付部材は、例えば対をなす部品から構成される。取付部材は、例えば、面ファスナーであり、スナップボタンであり得る。この場合、一方の部品は首周り部に取り付けられ、他方の部品はプレート部材に取り付けられる。
【００３１】
また、取付部材は、いわゆるフック状部材でもあり得る。本明細書において、フックとは、片持ち状の部材とそれを片持ち状に支持する部材の間に物を挟み込んだ場合に生じる復元力を利用して物を挟みとめる部材を意味し、フック状部材とは片持ち状に支持された部材を意味する。従って、フック状部材が用いられた場合、フック状部材と当該フック状部材が取り付けられたプレート部材の間でケープの首周り部が挟持される。
【００３２】
固定箇所の数は当業者によって適宜定められる。固定箇所の数は、例えば２箇所であり、３箇所であり、４箇所であり、５箇所であり、６箇所であり得る。また固定箇所も当業者によって適宜定められる。なお、顧客の前にてケープ本体を合わせて装着するケープ（例えば、カット用クロス、染色用クロスなど）では、好ましくは顧客の首の真後ろに位置する箇所は避けられる。この場所に取付部材があると、襟当て部と顧客の首の間に隙間ができやすくなるからであり、取付部材が間接的に顧客の首に当たるので装着感が悪くなるからである。
【００３３】
また、装着部材の他例は、対をなす１組のプレート部材と一方のプレート部材を首周り部に取り付ける取付部材を有し、対をなすプレート部材の間に生じる復元力により襟当て部を挟持する装着部材であり得る。
【００３４】
１組のプレート部材の下端部には両者を連結する連結部が備えられ、プレート部材と連結部は一体に作製される。プレート部材や連結部は好ましくは柔軟性かつやや剛性を有する材質、例えば合成樹脂から作製される。プレート部材は襟当て部とほぼ同じ長さである。またプレート部材は襟当て部とほぼ同じ幅を有する。プレート部材間の距離は襟当て部の厚さよりも小さい。従って、襟当て部をプレート部材の間に挿し込むと無理に広げられたプレート部材の間隔が元の状態に戻ろうとする。この復元力が襟当て部を挟持する。
【００３５】
襟当て部に取り付けるための取付部材は、何れか一方のプレート部材の表面（外側に向かう面）に備えられる。取付部材は上記と同様、例えば面ファスナーであり、スナップボタンであり、フック状部材であり得る。
【００３６】
このように、本発明の取付構造は２枚以上重ねられてなる襟当て部が山折りされて形成される二つ面のうち一方の面に首周り部に沿って取り付けられる装着部材を備え、前記装着部材の人の首周りに向けられる面が、前記襟当て部が山折りされて形成される二つの面のうち他方の面により覆われているので、襟当て部が直接顧客の首周りに接する。従って、ケープの首周り部や装着部材が直接顧客の首周りに触れることがなく、ケープの首回り部が衛生的に保たれる。
【００３７】
また、襟当て部の山折りされて形成される二つの面のうち一方の面が首周り部に固定されているので、装着部材を外すことなく、顧客に使用された紙状片のうち少なくとも顧客の首周りに接した他方の面の部分、好ましくは１枚の紙状片全体をケープから取り除くことができる。そして、ケープには予め２枚以上の紙状片が備えられているので、使用済みの紙状片を取り除けば清潔な紙状片が取り付けられた状態となる。このように、本発明の取付構造により襟当て部が取り付けられたケープでは、手間をかけることなくケープの首周り部が清潔な状態に保たれる。
【００３８】
さらに、装着部材は着脱可能に構成され得るので、繰り返し襟当て部を首周り部に取り付けることができる。従って、ケープを使い捨てにすることなく、比較的安価なコストで、首周り部が衛生的に保たれるケープが提供される。
【００３９】
以下、添付した図面に基づいて、本発明についてさらに詳細に説明する。なお、本発明は下記の実施例に限定されないのは言うまでもない。
【実施例１】
【００４０】
図１は本発明の一実施例であるケープ１の概略的斜視図、図２は当該ケープ１の概略的分解斜視図である。当該ケープ１の装着部材は１枚のプレート部材３０と取付部材であるスナップボタン３１を有する。襟当て部２０は１枚のプレート部材３０とスナップボタン３１によってケープ１の首周り部１２に取り付けられる。プレート部材３０は合成樹脂から作製され、顧客の首回りに取り付けた場合に襟当て部２０に張りを与える程度の剛性を有している。プレート部材３０は首周り部１２よりも短く、首周り部１２とほぼ同じ幅である。
【００４１】
図３に示す襟当て部２０は同じ形状にカットされた紙状片２１が１０枚程度重ねられて作製されている。各紙状片２１は薄い耐水紙を細長い長方形にカットして作製される。襟当て部２０は首周り部１２よりも短く、プレート部材３０よりわずかに長い。その幅はプレート部材２０の幅のほぼ２倍であって、襟当て部２０をほぼその幅方向中央（図３に示す一点破線イの位置）で長軸方向と平行に山折りした場合に、プレート部材２０の両面が隠れる程度の幅である。
【００４２】
襟当て部２０には、破線イの位置で山折りして形成される二つの面のうち一方の面に、５つの丸い開口部２２が備えられている。開口部２２の大きさはスナップボタン３１の外径よりもわずかに大きい。また、襟当て部２０は各開口部２２の縁から近接する襟当て部２０の長軸方向の縁に向けてミシン目２３を有している。
【００４３】
プレート部材３０は、５組のスナップボタン３１によって首周り部１２に着脱自在に取り付けられる。図に示すケープでは、スナップボタン３１はほぼ均等の間隔で備えられている。スナップボタン３１の一方のボタン部品３１ｂは首周り部１２の裏面（顧客の首周りに向けられる面）に取り付けられ、他方のボタン部品３１ａはプレート部材３０の一方の面（首周り部１２に向けられる面）に取り付けられる。プレート部材３０は、５組のスナップボタン３１の位置に合わせて設けられた開口部２２内にて首周り部１２に取り付けられる。開口部２２の大きさはスナップボタン３１の外径よりもわずかに大きいので、紙状片２１がスナップボタン３１に挟まれることなくプレート部材３０が首周り部１２に取り付けられる。また、襟当て部２０は大きく動かないので、襟当て部２０をケープ１に取り付けた状態で、１枚の紙状片２１のみを剥がしてケープ１から簡単に取り除くことができる。
【００４４】
襟当て部２０は、図５及び図６に示すように首周り部１２よりも短く、襟当て部２０が位置しない首周り部１２の裏面の部分には、顧客装着用の面ファスナー１３が備えられている。この面ファスナー１３は、首周り部１２の表側に備えられた面ファスナー１３に結合される、
【００４５】
プレート部材３０は、例えば図４（ａ）に示されたように、襟当て部２０が山折りされて形成された２つの面に挟まれるように配置され、同図（ｂ）に示されたようにプレート部材３０に取り付けられたボタン部品３１ａが襟当て部２０の開口部２２に望ませられる。この際、プレート部材３０の顧客の首周りに向いた面は、山折りされて形成された２つの面の一方の面によって覆われる。そして、同図（ｃ）及び図５に示すように、当該ボタン部品３１ａを、首周り部１２に取り付けられたボタン部品３１ｂに結合する。このようにして襟当て部２０が備えられたケープ１が得られる（図６）。なお、プレート部材３０とスナップボタン３１によって襟当て部２０を首周り部１２に取り付けた後に、襟当て部２０を山折りしてもよい。
【００４６】
このケープ１は公知であるケープと同様に、首周り部１２の表裏面に備えられた面ファスナー１３（首周り部１２裏面の面ファスナーは図示されていない。）の結合と、ケープ本体１１の合わせ部の表裏面に備えられた面ファスナー１４（合わせ部裏面の面ファスナーは図示されていない。）の結合により、顧客に装着される。一人の顧客に使用された後、襟当て部２０の表面にある１枚の紙状片２１はミシン目２３が切り離されて襟当て部２０から取り除かれる。
【実施例２】
【００４７】
図７に示す取付構造は、プレート部材３０を首周り部１２に取り付ける取付部材として対をなすファスナー部品３２ａ，３２ｂからなる面ファスナーが用いられている点で実施例１の取付構造と異なる。この取付構造では、プレート部材３０に備えられたファスナー部品３２ａが首周り部１２の内面に備えられたファスナー部品３２ｂと開口部２２内にて結合し、襟当て部２０が首周り部１２に取り付けられる。このように、取付部材として面ファスナーも利用できる。
【実施例３】
【００４８】
図８に示す取付構造は、一対のプレート部材３３ａ，３３ｂと当該プレート部材３３ａ,３３ｂの間で襟当て部２０を挟持する固定具として一対のボタン部品３４ａ,３４ｂからなるスナップボタンを有する。５組のスナップボタンはほぼ均等の間隔で備えられている。一方のプレート部材３３ａは、図９に示すように一方のボタン部品３４ａを有する。また、他方のプレート部材３３ｂは、図１０（ｂ）に示すようにボタン部品３４ａと対をなすボタン部品３４ｂを有する。プレート部材３３ａは、５組のスナップボタンの位置に合わせて設けられた開口部２２内にて、ボタン部品３４ａとボタン部品３４ｂが結合して、プレート部材３３ｂに着脱自在に取り付けられる。この結果、襟当て部２０が山折りされて形成された２つの面の一方の面は１対のプレート部材３３ａ，３３ｂの間に保持される。プレート部材３３ｂの顧客の首周りに向けられた面は、襟当て部２０の他方の面により覆われる。
【００４９】
一方のプレート部材３３ｂの外面には、首周り部１２に取り付けるための４つのフック状部材３５がプレート部材３３ｂに一体として備えられている。フック状部材３５の先端とプレート部材３３ｂの間に首周り部１２を挿入すると、フック状部材３５に元の状態（首周り部１２を挿入する前の状態）に戻ろうとする復元力がフック状部材３５に生じる。この復元力により襟当て部２０が首周り部１２に保持される。この取付構造においても、顧客に使用された紙状片２１はミシン目２３が切り離されて取り除かれる。
【実施例４】
【００５０】
図１１及び図１２に示す取付構造は、一対のプレート部材３６ａ，３６ｂの間に生じる復元力により前記襟当て部２０を挟持する装着部材を有する。対をなすプレート部材３６ａとプレート部材３６ｂの下端縁は連結部３６ｃによりつながれ、合成樹脂から一体として作製されている。プレート部材３６ａとプレート部材３６ｂの間は襟当て部２０の厚さよりもやや狭い。この装着部材は、図１２に示すように、襟当て部２０を一対のプレート部材３６ａ，３６ｂの間に挿入した場合に、プレート部材３６ａ，３６ｂが元の状態（襟当て部２０を挿入していない状態）に戻ろうとする復元力が生じる。この復元力が襟当て部２０をプレート部材３６ａ，３６ｂ間に保持する。一方のプレート部材３６ｂの外面には取付部材である面ファスナー３７が備えられ、首周り部１２に備えられた対となる面ファスナー（図示せず）と結合する。こうして、襟当て部２０が首周り部１２に取り付けられる。
【００５１】
襟当て部２０は、面ファスナー３７を備えたプレート部材３６ａの上端縁の上方に位置する位置にミシン目２３を有する。襟当て部２０はミシン目２３よりも上方の位置で山折りされ、プレート部材３６ｂの顧客の首周りに向けられた面は山折りされた襟当て部２０により覆われる。顧客に使用された紙状片２１はミシン目２３が切り離されて取り除かれる。
【００５２】
なお、図示しないが、この取付構造においては、面ファスナー３７の替わりに、図９や図１０に示すフック状部材３５も用いられ得る。
【実施例５】
【００５３】
図１３は、本発明において使用され得る紙状片２１の他例を示す平面図である。同図（ａ）に示す紙状片２１は、襟当て部２０が山折りされて形成される二つの面のうち首周り部１２に取り付けられる面の下端縁は波状にカットされた形状を有する。この紙状片２１は、図３に示された長方形状の紙状片２１に比べてカットされた重さが軽量化される。また、開口部２２は下端縁が膨らんだ領域に設けられているので、ミシン目２３の位置にて裂けやすく、使用後の紙状片２１を取り除くことが簡単かつ確実になる。
【００５４】
同図（ｂ）に示す紙状片２１は、長軸方向のほぼ中央部分が上下にそれぞれ弓状に広がった形状を有する。この紙状片２１が顧客に装着された場合には、図３に示された長方形の紙状片２１に比べて、紙状片２１が顧客の首の背後により密着するように装着される。もっとも、紙状片の形状は上記の形状に限られるものではない。
【符号の説明】
【００５５】
１  ケープ
１２  首周り部
２０  襟当て部
２１  紙状片
３０  装着部材を構成するプレート部材（実施例１、２）
３１  装着部材を構成する取付部材であるスナップボタン
３３ａ，３３ｂ  装着部材を構成する１対のプレート部材（実施例３）
３４ａ，３４ｂ  装着部材を構成する固定具であるスナップボタン
３５  装着部材を構成する取付部材であるフック状部材
３６ａ，３６ｂ  装着部材を構成する１対のプレート部材（実施例４）
３７  装着部材を構成する取付部材である面ファスナー
【図１】
2013192894.tif 000003
【図２】
2013192894.tif 000004
【図３】
2013192894.tif 000005
【図４】
2013192894.tif 000006
【図５】
2013192894.tif 000007
【図６】
2013192894.tif 000008
【図７】
2013192894.tif 000009
【図８】
2013192894.tif 000010
【図９】
2013192894.tif 000011
【図１０】
2013192894.tif 000012
【図１１】
2013192894.tif 000013
【図１２】
2013192894.tif 000014
【図１３】
2013192894.tif 000015